(57)【要約】【課題】印刷画質を損なうことなく、駆動信号のピーク電流を低減することが可能な液体噴射装置を提供する。【解決手段】液体噴射ヘッド２を複数配設し、各液体噴射ヘッド２には、液体を噴射するためのノズル列を複数形成すると共に各ノズルにノズルアクチュエータ２２を配設し、印刷媒体１を相対移動しながらノズルアクチュエータ２２を駆動信号ＣＯＭで駆動することによりノズルから液体を噴射するにあたり、各液体噴射ヘッド２のノズル列同士の距離が、印刷解像度相当の距離の整数倍ｎに当該印刷解像度相当の距離より小さい所定値αを加算した値となるようにして、各液体噴射ヘッド２の印刷媒体１との相対的な移動方向への位置を設定し、印刷解像度相当の距離より小さい所定値α相当分だけ各液体噴射ヘッド２のノズルアクチュエータ２２への駆動信号ＣＯＭの印加タイミングをずらす。【選択図】図７
2009226901.tif 000002
【特許請求の範囲】
【請求項１】
液体噴射ヘッドを複数配設し、各液体噴射ヘッドには、液体を噴射するためのノズル列を複数形成すると共に各ノズルにノズルアクチュエータを配設し、液体噴射ヘッドと印刷媒体とをノズル列と交差する方向に相対的に移動しながら各液体噴射ヘッドの各ノズルアクチュエータを駆動信号で駆動することにより該当するノズルから印刷媒体に向けて液体を噴射する液体噴射装置であって、各液体噴射ヘッドの同等の機能のノズル列同士の印刷媒体との相対的な移動方向への距離が、印刷解像度相当の距離の整数倍に当該印刷解像度相当の距離より小さい所定値を加算した値となるようにして、各液体噴射ヘッドの印刷媒体との相対的な移動方向への位置を設定し、前記印刷解像度相当の距離より小さい所定値相当分だけ各液体噴射ヘッドのノズルアクチュエータへの駆動信号の印加タイミングをずらしたことを特徴とする液体噴射装置。
【請求項２】
前記ノズルアクチュエータへの駆動信号の電力増幅回路にアナログ電力増幅回路を用いたことを特徴とする請求項１に記載の液体噴射装置。
【発明の詳細な説明】
【技術分野】
【０００１】
本発明は、微小な液体を複数のノズルから噴射して、その微粒子（ドット）を印刷媒体上に形成することにより、所定の文字や画像等を印刷するようにした液体噴射装置に関するものである。
【背景技術】
【０００２】
このような液体噴射装置の１つである液体噴射型印刷装置は、一般に安価で且つ高品質なカラー印刷物が容易に得られることから、パーソナルコンピュータやデジタルカメラなどの普及に伴い、オフィスのみならず一般ユーザにも広く普及してきている。
このような液体噴射型印刷装置のうち、液体噴射ノズルの形成された液体噴射ヘッドをキャリッジと呼ばれる移動体に載せて印刷媒体の搬送方向と交差する方向に移動させるものを一般に「マルチパス型印刷装置」と呼んでいる。これに対し、印刷媒体の搬送方向と交差する方向に長尺な液体噴射ヘッドを配置して、所謂１パスでの印刷が可能なものを一般に「ラインヘッド型印刷装置」と呼んでいる。ラインヘッド型の液体噴射ヘッドを構成する場合には、複数のノズルが列状に形成されたブロック状の液体噴射ヘッドを印刷媒体搬送方向と交差する方向に複数配設してラインヘッド型の液体噴射ヘッドを構成する場合がある。
【０００３】
ところで、この種の液体噴射型印刷装置では、液体噴射ヘッドに液体を噴射するためのノズル列を複数形成すると共に各ノズルに圧電素子などのノズルアクチュエータを配設し、液体噴射ヘッドと印刷媒体とをノズル列と交差する方向に相対的に移動しながら、液体噴射ヘッドのノズルアクチュエータに電圧波形信号からなる駆動信号を印加することで該当するノズルから印刷媒体に向けて液体を噴射する。ラインヘッド型印刷装置では、ノズルアクチュエータの数が多いので、消費電流が大きく、大きな電源容量が必要となったり、大電流によって圧電素子などのノズルアクチュエータが損耗したりするという問題が生じる。そこで、下記特許文献１に記載される液体噴射装置では、駆動信号の波形タイミングをずらすことで、電圧波形信号からなる駆動信号のピーク電流を低減することが開示されている。また、下記特許文献２に記載される液体噴射装置では、複数設けられている液体噴射ヘッドの複数のノズル列のうち、例えば同じ色の液体を異なるノズル列から噴射するように駆動信号を印加することで、同じく電圧波形信号からなる駆動信号のピーク電流を低減することが開示されている。
【特許文献１】特開平７−１２５１９５号公報
【特許文献２】特開２００１−８８２９１号公報
【発明の開示】
【発明が解決しようとする課題】
【０００４】
しかしながら、前記特許文献１に記載されるように駆動信号の波形タイミングをずらすと、本来、液体を噴射すべきタイミングと異なるタイミングで液体が噴射されることになるから、印刷画質に影響を及ぼす可能性がある。また、前記特許文献２に記載されるように複数の液体噴射ヘッドの複数のノズル列のうち、異なるノズル列から同じ色の液体を噴射するように駆動信号を印加する場合には、ノズル列毎に駆動信号を出力する駆動回路が必要になるので、ラインヘッド型印刷装置のような多駆動方式では現実的でない。
本発明は、これらの諸問題に着目して開発されたものであり、印刷画質を損なうことなく、駆動信号のピーク電流を低減することが可能な液体噴射装置を提供することを目的とするものである。
【課題を解決するための手段】
【０００５】
上記諸問題を解決するため、本発明の液体噴射装置は、液体噴射ヘッドを複数配設し、各液体噴射ヘッドには、液体を噴射するためのノズル列を複数形成すると共に各ノズルにノズルアクチュエータを配設し、液体噴射ヘッドと印刷媒体とをノズル列と交差する方向に相対的に移動しながら各液体噴射ヘッドの各ノズルアクチュエータを駆動信号で駆動することにより該当するノズルから印刷媒体に向けて液体を噴射する液体噴射装置であって、各液体噴射ヘッドの同等の機能のノズル列同士の印刷媒体との相対的な移動方向への距離が、印刷解像度相当の距離の整数倍に当該印刷解像度相当の距離より小さい所定値を加算した値となるようにして、各液体噴射ヘッドの印刷媒体との相対的な移動方向への位置を設定し、前記印刷解像度相当の距離より小さい所定値相当分だけ各液体噴射ヘッドのノズルアクチュエータへの駆動信号の印加タイミングをずらしたことを特徴とするものである。
【０００６】
なお、前記印刷解像度相当の距離より小さい所定値相当分とは、当該所定値に相当する距離を印刷媒体又は液体噴射ヘッドが相対的に移動し通過する所要時間分を意味する。また、距離が負値になることはないので、前記整数は、実質的に０を含む自然数である。
而して、本発明の液体噴射装置によれば、複数の液体噴射ヘッドのノズル列は印刷解像度相当の距離より小さい所定値分だけずれていても、その所定値相当分だけ駆動信号の印加タイミングをずらすことにより、印刷画質を損なうことなく、駆動信号のピーク電流を低減することが可能となる。
また、本発明の液体噴射装置は、前記ノズルアクチュエータへの駆動信号の電力増幅回路にアナログ電力増幅回路を用いたことを特徴とするものである。
本発明の液体噴射装置によれば、アナログ電力増幅回路における駆動信号のピーク電流を大きく低減することが可能となる。
【発明を実施するための最良の形態】
【０００７】
次に、本発明の液体噴射装置の第１実施形態について液体噴射型印刷装置を用いて説明する。
図１は、本実施形態の印刷装置の概略構成図であり、図において、印刷媒体１は、図の左から右に向けて矢印方向に搬送され、その搬送途中の印字領域で印字される、ラインヘッド型印刷装置である。
【０００８】
図１中の符号２は、印刷媒体１の搬送ライン上方に設けられた複数の液体噴射ヘッドであり、印刷媒体搬送方向に２列になるように且つ印刷媒体搬送方向と交差する方向に並べて配設されて、夫々、ヘッド固定プレート１１に固定されている。各液体噴射ヘッド２の最下面には、多数のノズルが形成されており、この面がノズル面と呼ばれている。ノズルは、図２に示すように、噴射する液体の色毎に、印刷媒体搬送方向と交差する方向に列状に配設されており、その列をノズル列と呼んだり、その列方向をノズル列方向と呼んだりする。そして、印刷媒体搬送方向と交差する方向に配設された全ての液体噴射ヘッド２のノズル列によって、印刷媒体１の搬送方向と交差する方向の幅全長に及ぶラインヘッドが形成されている。印刷媒体１は、これらの液体噴射ヘッド２のノズル面の下方を通過するときに、ノズル面に形成されている多数のノズルから液体が噴射され、印刷が行われる。
【０００９】
液体噴射ヘッド２には、例えばイエロー（Ｙ）、マゼンタ（Ｍ）、シアン（Ｃ）、ブラック（Ｋ）の４色のインクなどの液体が、図示しない各色の液体タンクから液体供給チューブを介して供給される。そして、各液体噴射ヘッド２に形成されているノズルから同時に必要箇所に必要量の液体を噴射することにより、印刷媒体１上に微小なドットを出力する。これを各色毎に行うことにより、搬送部４で搬送される印刷媒体１を一度通過させるだけで、所謂１パスによる印刷を行うことができる。
【００１０】
液体噴射ヘッドの各ノズルから液体を噴射する方法としては、静電方式、ピエゾ方式、膜沸騰液体噴射方式などがあり、本実施形態ではピエゾ方式を用いた。ピエゾ方式は、ノズルアクチュエータである圧電素子に駆動信号を与えると、キャビティ内の振動板が変位してキャビティ内に圧力変化を生じ、その圧力変化によって液滴がノズルから噴射されるというものである。そして、駆動信号の波高値や電圧増減傾きを調整することで液滴の噴射量を調整することが可能となる。なお、ピエゾ方式に用いられる圧電素子は容量性負荷である。また、本発明は、ピエゾ方式以外の液体噴射方法にも、同様に適用可能である。
【００１１】
液体噴射ヘッド２の下方には、印刷媒体１を搬送方向に搬送するための搬送部４が設けられている。搬送部４は、駆動ローラ８及び従動ローラ９に搬送ベルト６を巻回して構成され、駆動ローラ８には図示しない電動モータが接続されている。また、搬送ベルト６の内側には、当該搬送ベルト６の表面に印刷媒体１を吸着するための図示しない吸着装置が設けられている。この吸着装置には、例えば負圧によって印刷媒体１を搬送ベルト６に吸着する空気吸引装置や、静電気力で印刷媒体１を搬送ベルト６に吸着する静電吸着装置などが用いられる。従って、給紙ローラ５によって給紙部３から印刷媒体１を一枚だけ搬送ベルト６上に送給し、電動モータによって駆動ローラ８を回転駆動すると、搬送ベルト６が印刷媒体搬送方向に回転され、吸着装置によって搬送ベルト６に印刷媒体１が吸着されて搬送される。この印刷媒体１の搬送中に、液体噴射ヘッド２から液体を噴射して印刷を行う。印刷の終了した印刷媒体１は、搬送方向下流側の排紙部１０に排紙される。
【００１２】
この印刷装置内には、自身を制御するための制御装置が設けられている。この制御装置は、例えば図３に示すように、例えばパーソナルコンピュータ、デジタルカメラ等のホストコンピュータ６０から入力された印刷データに基づいて、印刷装置や給紙装置等を制御することにより印刷媒体に印刷処理を行うものである。そして、ホストコンピュータ６０から入力された印刷データ読込むための入力インタフェース６１と、この入力インタフェース６１から入力された印刷データに基づいて印刷処理等の演算処理を実行する例えばマイクロコンピュータで構成される制御部６２と、前記給紙ローラ５に接続されている給紙ローラモータ１７を駆動制御する給紙ローラモータドライバ６３と、各液体噴射ヘッド２を駆動制御するヘッドドライバ６５と、前記駆動ローラ８に接続されている電動モータ７を駆動制御する電動モータドライバ６６と、各ドライバ６３、６５、６６と外部の給紙ローラモータ１７、液体噴射ヘッド２，３、電動モータ７とを接続するインタフェース６７とを備えて構成される。
【００１３】
制御部６２は、印刷処理等の各種処理を実行するＣＰＵ（Central Processing Unit）６２ａと、入力インタフェース６１を介して入力された印刷データ或いは当該印刷データ印刷処理等を実行する際の各種データを一時的に格納し、或いは印刷処理等のプログラムを一時的に展開するＲＡＭ（Random Access Memory）６２ｃと、ＣＰＵ６２ａで実行する制御プログラム等を格納する不揮発性半導体メモリで構成されるＲＯＭ（Read-Only Memory）６２ｄを備えている。この制御部６２は、インタフェース６１を介してホストコンピュータ６０から印刷データ（画像データ）を入手すると、ＣＰＵ６２ａが、この印刷データに所定の処理を実行して、何れの液体噴射ヘッド２の何れのノズルから液体を噴射するか或いはどの程度の液体を噴射するかというノズル選択データ（駆動信号選択データ）を算出し、この印刷データや駆動信号選択データ及び各種センサからの入力データに基づいて、各ドライバ６３、６５、６６に制御信号を出力する。各ドライバ６３、６５、６６からはアクチュエータを駆動するための駆動信号が出力され、給紙ローラモータ１７、電動モータ７が夫々作動して、印刷媒体１の給紙及び搬送及び排紙、並びに印刷媒体１への印刷処理が実行される。なお、本実施形態では、後述するように、各液体噴射ヘッド２に駆動回路が搭載されているので、ヘッドドライバ６５からは制御信号のみが各液体噴射ヘッド２に出力される。また、制御部６２内の各構成要素は、図示しないバスを介して電気的に接続されている。
【００１４】
図４には、各液体噴射ヘッド２に搭載されている駆動回路の具体的な構成を示す。液体噴射ヘッド２に駆動回路を搭載すると、ノズルアクチュエータを駆動するための駆動信号の信号線が短くなり、損失を低減したり、ノズルアクチュエータのレスポンスを向上したりすることができ、これらにより印刷所要時間を短くすることが可能となる。本実施形態の駆動回路は、マイクロコンピュータなどで構成されて独自の演算処理を行う制御回路２３と、駆動信号を創成出力するための駆動波形データや演算処理のプログラミングを記憶するメモリ２４と、前記駆動波形データに基づいて、駆動信号の元、つまりノズルアクチュエータ２２の駆動を制御する信号の基準となる駆動波形信号ＷＣＯＭを生成する駆動波形信号発生回路２５と、駆動波形信号発生回路２５で生成された駆動波形信号ＷＣＯＭをパルス変調する変調回路２６と、変調回路２６でパルス変調された変調信号を電力増幅するデジタル電力増幅器、所謂Ｄ級アンプ２８と、デジタル電力増幅器２８で電力増幅された電力増幅変調信号を平滑化して、駆動信号ＣＯＭ（駆動パルスＰＣＯＭ）として選択スイッチ２０１からノズルアクチュエータ２２に供給する平滑フィルタ２９とを備えて構成される。また、前記図３の制御装置からの制御信号を入出力する制御信号用接続部１３ｉ，１３ｏ及びノズルアクチュエータ駆動用電力を入出力する電力用接続部１４ｉ，１４ｏが設けられている。
【００１５】
制御回路２３は、図示しない演算処理に従って、メモリ２４に記憶されているデジタル駆動波形データを読出し、所定サンプリング周期で駆動波形信号発生回路２５に出力したり、トランスミッションゲートで構成される選択スイッチ２０１のオンオフ制御を行ったりする。駆動波形信号発生回路２５は、制御回路２３から出力された駆動波形データを電圧信号に変換して所定サンプリング周期分ホールドすると共に、それをＤ／Ａ変換器でアナログ変換して駆動波形信号ＷＣＯＭとして出力する。本実施形態では、この駆動波形信号ＷＣＯＭをパルス変調する変調回路２６に、一般的なパルス幅変調（ＰＷＭ）回路を用いた。パルス幅変調は、周知のように、三角波信号発生回路で所定周波数の三角波信号を発生し、この三角波信号と駆動波形信号ＷＣＯＭとをコンパレータで比較して、例えば三角波信号より駆動波形信号ＷＣＯＭが大きいときにオンデューティとなるパルス信号を変調信号として出力する。デジタル電力増幅器２８は、実質的に電力を増幅するためのハイサイドのスイッチング素子Ｑ１及びローサイドのスイッチング素子Ｑ２からなるハーフブリッジＤ級出力段２１と、変調回路２６からの変調信号に基づいて、それらのスイッチング素子Ｑ１、Ｑ２のゲート−ソース間信号ＧＨ、ＧＬを調整するためのゲート駆動回路３０とを備えて構成されている。また、平滑フィルタ２９は例えばコイルとコンデンサの組合せからなるローパスフィルタ（低域通過フィルタ）で構成され、このローパスフィルタによって電力増幅変調信号の変調周期成分、この場合は三角波信号の周波数成分が除去される。
【００１６】
デジタル電力増幅器２８では、変調信号がハイレベルであるとき、ハイサイド側スイッチング素子Ｑ１のゲート−ソース間信号ＧＨはハイレベルとなり、ローサイド側スイッチング素子Ｑ２のゲート−ソース間信号ＧＬはローレベルとなるので、ハイサイド側スイッチング素子Ｑ１はオン状態となり、ローサイド側スイッチング素子Ｑ２はオフ状態となり、その結果、ハーフブリッジＤ級出力段２１の出力は、供給電圧ＶＤＤとなる。一方、変調信号がローレベルであるとき、ハイサイド側スイッチング素子Ｑ１のゲート−ソース間信号ＧＨはローレベルとなり、ローサイド側スイッチング素子Ｑ２のゲート−ソース間信号ＧＬはハイレベルとなるので、ハイサイド側スイッチング素子Ｑ１はオフ状態となり、ローサイド側スイッチング素子Ｑ２はオン状態となり、その結果、ハーフブリッジ出力段２１の出力は０となる。
【００１７】
このようにハイサイド及びローサイドのスイッチング素子がデジタル駆動される場合には、オン状態のスイッチング素子に電流が流れるが、ドレイン−ソース間の抵抗値は非常に小さく、損失は殆ど発生しない。また、オフ状態のスイッチング素子には電流が流れないので損失は発生しない。従って、このデジタル電力増幅器２８の損失そのものは極めて小さく、小型のＭＯＳＦＥＴ等のスイッチング素子を使用することができる。ちなみに、本実施形態では、各液体噴射ヘッド２にデジタル駆動回路を搭載したが、液体噴射ヘッド２数に相当するデジタル駆動回路を印刷装置本体側に設け、それらから液体噴射ヘッド２に個別に駆動信号を出力するようにしてもよい。
【００１８】
図５には、本実施形態の印刷装置の制御装置から液体噴射ヘッド２に供給され、圧電素子からなるノズルアクチュエータを駆動するための駆動信号ＣＯＭの一例を示す。本実施形態では、中間電位を中心に電位が変化する信号とした。この駆動信号ＣＯＭは、ノズルアクチュエータを駆動して液体を噴射する単位駆動信号としての駆動パルスＰＣＯＭを時系列的に接続したものであり、各駆動パルスＰＣＯＭの立上がり部分がノズルに連通するキャビティ（圧力室）の容積を拡大して液体を引込む（液体の噴射面を考えればメニスカスを引き込むとも言える）段階であり、駆動パルスＰＣＯＭの立下がり部分がキャビティの容積を縮小して液体を押出す（液体の噴射面を考えればメニスカスを押出すとも言える）段階であり、液体を押出した結果、液滴がノズルから噴射される。
【００１９】
この電圧台形波からなる駆動パルスＰＣＯＭの電圧増減傾きや波高値を種々に変更することにより、液体の引込量や引込速度、液体の押出量や押出速度を変化させることができ、これにより液滴の噴射量を変化させて異なる大きさのドットを得ることができる。従って、複数の駆動パルスＰＣＯＭを時系列的に連結する場合でも、そのうちから単独の駆動パルスＰＣＯＭを選択してアクチュエータに供給し、液滴を噴射したり、複数の駆動パルスＰＣＯＭを選択してアクチュエータに供給し、液滴を複数回噴射したりすることで種々の大きさのドットを得ることができる。即ち、液体が乾かないうちに複数の液滴を同じ位置に着弾すると、実質的に大きな液滴を噴射するのと同じことになり、ドットの大きさを大きくすることができるのである。このような技術の組合せによって多階調化を図ることが可能となる。駆動信号選択データＳＩ＆ＳＰで駆動信号を選択する仕組みとしては、例えば特開２００３−１８２４号公報に記載されるような形態で実現が可能である。なお、図５の左端の駆動パルスＰＣＯＭ１は、液体を引込むだけで押出していない。これは、微振動と呼ばれ、液滴を噴射せずに、例えばノズルの増粘を抑制防止したりするのに用いられる。
【００２０】
各液体噴射ヘッド２には、前記図３の制御装置から制御信号として、印刷データに基づいて噴射するノズルを選択すると共に圧電素子などのノズルアクチュエータの駆動信号ＣＯＭへの接続タイミングを決定する駆動信号選択データＳＩ＆ＳＰ、全ノズルにノズル選択データが入力された後、駆動信号選択データＳＩ＆ＳＰに基づいて駆動信号ＣＯＭと液体噴射ヘッド２のノズルアクチュエータとを接続させるラッチ信号ＬＡＴ及びチャンネル信号ＣＨ、駆動信号選択データＳＩ＆ＳＰをシリアル信号として液体噴射ヘッド２に送信するためのクロック信号ＳＣＫが入力されている。なお、これ以後、ノズルアクチュエータを駆動する駆動信号の最小単位を駆動パルスＰＣＯＭとし、駆動パルスＰＣＯＭが時系列的に連結された信号全体を駆動信号ＣＯＭと記す。即ち、ラッチ信号ＬＡＴで一連の駆動信号ＣＯＭが出力され始め、チャンネル信号ＣＨ毎に駆動パルスＰＣＯＭが出力されることになる。
【００２１】
図６には、駆動信号ＣＯＭ（駆動パルスＰＣＯＭ）をノズルアクチュエータ２２に供給するために制御回路２３内に構築されたスイッチングコントローラの具体的な構成を示す。このスイッチングコントローラは、液体を噴射させるべきノズルに対応した圧電素子などのノズルアクチュエータ２２を指定するための駆動信号選択データＳＩ＆ＳＰを保存するシフトレジスタ２１１と、シフトレジスタ２１１のデータを一時的に保存するラッチ回路２１２と、ラッチ回路２１２の出力をレベル変換して選択スイッチ２０１に供給することにより、駆動信号ＣＯＭをピエゾ素子などのノズルアクチュエータ２２に接続するレベルシフタ２１３を備えて構成されている。
【００２２】
シフトレジスタ２１１には、駆動信号選択データ信号ＳＩ＆ＳＰが順次入力されると共に、クロック信号ＳＣＫの入力パルスに応じて記憶領域が初段から順次後段にシフトする。ラッチ回路２１２は、ノズル数分の駆動信号選択データＳＩ＆ＳＰがシフトレジスタ２１１に格納された後、入力されるラッチ信号ＬＡＴによってシフトレジスタ２１１の各出力信号をラッチする。ラッチ回路２１２に保存された信号は、レベルシフタ２１３によって次段の選択スイッチ２０１をオンオフできる電圧レベルに変換される。これは、駆動信号ＣＯＭが、ラッチ回路２１２の出力電圧に比べて高い電圧であり、これに合わせて選択スイッチ２０１の動作電圧範囲も高く設定されているためである。従って、レベルシフタ２１３によって選択スイッチ２０１が閉じられる圧電素子などのノズルアクチュエータは駆動信号選択データＳＩ＆ＳＰの接続タイミングで駆動信号ＣＯＭ（駆動パルスＰＣＯＭ）に接続される。また、シフトレジスタ２１１の駆動信号選択データＳＩ＆ＳＰがラッチ回路２１２に保存された後、次の印刷情報をシフトレジスタ２１１に入力し、液体の噴射タイミングに合わせてラッチ回路２１２の保存データを順次更新する。なお、図中の符号ＨＧＮＤは、圧電素子などのノズルアクチュエータのグランド端である。また、この選択スイッチ２０１によれば、圧電素子などのノズルアクチュエータを駆動信号ＣＯＭ（駆動パルスＰＣＯＭ）から切り離した後も、当該ノズルアクチュエータ２２の入力電圧は、切り離す直前の電圧に維持される。
【００２３】
このような電圧波形信号からなる駆動信号ＣＯＭを、ラインヘッドを構成する全てのノズルアクチュエータ２２に同時に印加すると、消費電流が大きく、大きな電源容量が必要となったり、大電流によって圧電素子などのノズルアクチュエータが損耗したりするという問題が生じる。この問題を回避するには、電圧波形信号からなる駆動信号ＣＯＭの波形タイミングをずらせばよいが、単に波形タイミングをずらすだけだと、前記特許文献１のように、印刷媒体１の所定位置に液体を噴射（着弾とも言う）することができない。そこで、本実施形態では、例えば要求される印刷解像度が３６０ｄｐｉであるばあい、図７に示すように、各液体噴射ヘッド２の同じ機能のノズル列同士、つまり同じ色を噴射するノズル列同士の印刷媒体搬送方向の距離を、印刷解像度相当の距離、即ち１／３６０インチの整数ｎ（ｎは０及び自然数とする）倍に、同じく印刷解像度相当の距離１／３６０インチより小さい所定値αを加算した値とする。本実施形態のように、隣合う液体噴射ヘッド２が隣接するように千鳥状に配列されている場合、例えば印刷媒体搬送方向と交差する方向に並んでいる液体噴射ヘッド２のノズル列同士は、整数ｎを０として、印刷解像度相当の距離１／３６０インチより小さい所定値αだけ印刷媒体搬送方向にずらし、斜めに隣接している液体噴射ヘッド２のノズル列同士は、１／３６０インチ×ｎ＋α（α＜１／３６０インチ）とする（図は、分かり易く強調して描画されている）。
【００２４】
例えば、図７ａの図示上端の液体噴射ヘッド２の所定色のノズル列と図示上から３番目も液体噴射ヘッド２の同じ色のノズル列から、同じ波形タイミングの駆動信号ＣＯＭで液体を噴射すると、当然、図８ａのようにドットは所定値αだけずれる。図８ｂは、それらのドットを重ね合わせたものであるが、所定値αは印刷解像度相当の距離１／３６０インチより小さいので、これらのドットでも印刷画質が著しく低下することはない。しかしながら、液体噴射ヘッド２中の全てのノズル列のドットが、このように一様にずれると、その部分だけ、色が薄かったり濃かったりして、所謂スジ状に見えることがある。
【００２５】
そのため、本実施形態では、図９に示すように、例えば液体噴射ヘッド２の同じ機能のノズル列同士の距離が印刷解像度相当の距離１／３６０インチより小さい所定値αである場合、当該所定値α相当分、つまり所定値αを印刷媒体１が通過する所要時間ｔα分だけ各液体噴射ヘッド２のノズルアクチュエータ２２への駆動信号ＣＯＭの印加タイミングをずらす。同図では、図示上側の液体噴射ヘッド２のノズル列が図示下側の液体噴射ヘッド２のノズル列より印刷媒体搬送方向先方に所定値α分だけずれているので、印刷基準信号の検出から所定時間ｔ０経過したときに図示上方の液体噴射ヘッド２のノズルアクチュエータ２２に駆動信号ＣＯＭＡを出力した後、所要時間ｔαが経過したとき、図示下側の液体噴射ヘッド２のノズルアクチュエータ２２への駆動信号ＣＯＭＢを印加する。このようにすることで、２つの液体噴射ヘッド２の同じ機能のノズル列から噴射される液体を印刷媒体の所定位置に確実に着弾させることができる。なお、液体噴射ヘッド２の同じ機能のノズル列が前記整数ｎ分だけ離れている場合には、駆動信号ＣＯＭの生成サイクルを当該整数ｎ分だけ早めたり遅らせたりし、その後、前述と同様に駆動信号ＣＯＭの印加タイミングをずらせばよい。
【００２６】
なお、前記図７や図９では、各液体噴射ヘッド２のノズル列をノズル列方向に一直線に並べたときに、各液体噴射ヘッド２のノズル列の端部ノズル同士のノズルピッチは各ノズル列内のノズルピッチと同ピッチになるような構成となっているが、前記図２に示すように、各液体噴射ヘッド２を印刷媒体搬送方向にずらして配置し、各液体噴射ヘッド２のノズル列の端部ノズルをノズル列方向に重複させて配置させた配置でもよい。また、図中のαは、互いに同じ値であってもよいし、互いに異なる値であってもよい。要は、所定値αが印刷解像度相当の距離より小さい値であれば、その所定値α分だけ、駆動信号をずらしたとき、互いの駆動信号のピークをずらすことが可能となるのである。
【００２７】
このように本実施形態の液体噴射装置によれば、液体噴射ヘッド２を複数配設し、各液体噴射ヘッド２には、液体を噴射するためのノズル列を複数形成すると共に各ノズルにノズルアクチュエータ２２を配設し、液体噴射ヘッド２と印刷媒体１とをノズル列と交差する方向に相対的に移動しながら各液体噴射ヘッド２の各ノズルアクチュエータ２２を駆動信号ＣＯＭで駆動することにより該当するノズルから印刷媒体１に向けて液体を噴射するにあたり、各液体噴射ヘッド２の同等の機能のノズル列同士の印刷媒体１との相対的な移動方向への距離が、印刷解像度相当の距離１／３６０インチの整数倍ｎに当該印刷解像度相当の距離１／３６０インチより小さい所定値αを加算した値となるようにして、各液体噴射ヘッド２の印刷媒体１との相対的な移動方向への位置を設定し、印刷解像度相当の距離１／３６０インチより小さい所定値α相当分だけ各液体噴射ヘッド２のノズルアクチュエータ２２への駆動信号ＣＯＭの印加タイミングをずらす構成としたため、複数の液体噴射ヘッド２のノズル列は印刷解像度相当の距離１／３６０インチより小さい所定値α分だけずれていても、その所定値α相当分だけ駆動信号ＣＯＭの印加タイミングをずらすことにより、印刷画質を損なうことなく、駆動信号ＣＯＭのピーク電流を低減することが可能となる。
【００２８】
次に、本発明の液体噴射装置をラインヘッド型印刷装置に用いた第２実施形態について説明する。本実施形態では、前記第１実施形態のデジタル駆動回路に代えて、図１０に示すアナログ駆動回路を用いた点を除き、他は全て第１実施形態と同様である。
このアナログ駆動回路は、図４のデジタル駆動回路の駆動波形信号発生回路から平滑フィルタまでの部分が変更されており、駆動信号を創成出力するために制御回路２３から出力された駆動波形データＤＷＣＯＭに基づいて、駆動信号の元、つまりノズルアクチュエータ２２の駆動を制御する信号の基準となる駆動波形信号ＷＣＯＭを生成する駆動波形信号発生回路３１と、駆動波形信号発生回路３１で発生された駆動波形信号ＷＣＯＭをアナログ変換するＤ／Ａ変換回路（アナログ変換回路）３２と、Ｄ／Ａ変換回路２４でアナログ変換されたアナログ駆動波形信号ＡＷＣＯＭを電力増幅するアナログ電力増幅回路３３とを備えて構成される。アナログ電力増幅回路３３は、プッシュプル接続されたトランジスタ対３５と、当該トランジスタ対３５の各トランジスタＴｒ１，Ｔｒ２を駆動するためのプリドライバ回路３４とを備えて構成される。
【００２９】
駆動波形信号発生回路３１は、制御回路２３から出力された駆動波形データＤＷＣＯＭを読込み、それを電圧信号に変換して所定サンプリング周期分ホールドすることで、デジタルデータの駆動波形信号ＷＣＯＭを出力する。Ｄ／Ａ変換回路３２には、一般的なデジタル−アナログ変換回路を用い、これによってデジタルデータの駆動波形信号ＷＣＯＭをアナログ駆動波形信号ＡＷＣＯＭに変換出力する。プリドライバ回路３４は、プッシュプル接続されたトランジスタ対３５の各トランジスタＴｒ１，Ｔｒ２のベース電圧を制御することで、例えば接続されるノズルアクチュエータの数が変化することにより上昇する充電用トランジスタのベース電流を抑制する。このプリドライバ回路３４としては、例えば本出願人が先に提案した特開２００４−３０６４３４号公報に記載されるものが適用可能である。トランジスタ対３５は、充電用トランジスタＴｒ１と放電用トランジスタＴｒ２とをプッシュプル接続して構成され、一方のＮＰＮ型充電用トランジスタＴｒ１のコレクタは電源電圧ＶＤＤが供給され、エミッタは選択スイッチ２０１を介してノズルアクチュエータに接続され、ベースがプリドライバ回路３４の一方の出力に接続されている。また、他方のＰＮＰ型放電用トランジスタＴｒ２のエミッタが選択スイッチ２０１を介してノズルアクチュエータに接続され、コレクタが接地され、ベースがプリドライバ回路２５の他方の出力に接続されている。このトランジスタ対３５では、一方の充電用トランジスタＴｒ１は、選択スイッチ２０１を介して、駆動信号ＣＯＭに応じた電圧波形を伴いながら電源電圧ＶＤＤから容量性負荷であるノズルアクチュエータ２２に電荷を供給する、即ち充電し、他方の放電用トランジスタＴｒ２は、選択スイッチ２０１を介して、駆動信号ＣＯＭに応じた電圧波形を伴いながら容量性負荷であるノズルアクチュエータ２２の電荷を放電する。ちなみに、本実施形態では、前記第１実施形態と同様に、各液体噴射ヘッド２にアナログ駆動回路を搭載したが、液体噴射ヘッド２数に相当するアナログ駆動回路を印刷装置本体側に設け、それらから液体噴射ヘッド２に個別に駆動信号を出力するようにしてもよい。
【００３０】
本実施形態のアナログ駆動回路は、前記第１実施形態のデジタル駆動回路と異なり、例えばノズルアクチュエータの充放電中、常時電流が流れるので、各液体噴射ヘッド２のノズルアクチュエータ２２への駆動信号の波形をずらすことができれば、ピーク電流の低減効果が大きい。
このように本実施形態の液体噴射装置によれば、ノズルアクチュエータ２２への駆動信号の電力増幅回路にアナログ電力増幅回路３３を用いたことにより、アナログ電力増幅回路３３における駆動信号のピーク電流を大きく低減することが可能となる。
【００３１】
次に、本発明の液体噴射装置をラインヘッド型印刷装置に用いた第３実施形態について説明する。本実施形態では、前記第１及び第２実施形態の制御装置に代えて、図１１に示す制御装置を用いた点を除き、他は全て第１及び第２実施形態と同様である。
本実施形態では、ヘッドドライバ６５内に、液体噴射ヘッド２数分の駆動回路が設けられており、それらの駆動回路から各液体噴射ヘッド２に駆動信号ＣＯＭが個別に出力される。この駆動回路には、例えば前記第１実施形態の図４のデジタル駆動回路中の制御回路２３〜平滑フィルタ２９までの構成を用いたり、前記第２実施形態の図１０のアナログ駆動回路中の制御回路２３〜アナログ電力増幅回路３３までの構成を用いたりすることで、前記第１実施形態或いは第２実施形態と同様に機能させることができる。従って、このような構成でも、前記第１実施形態或いは第２実施形態と同様の効果が得られる。なお、各液体噴射ヘッド２には、クロック信号ＳＣＫ、ラッチ信号ＬＡＴ、チャンネル信号ＣＨ、駆動信号選択データＳＩ＆ＳＰがインタフェース６７を介して直接的に入力される。
なお、前記実施形態では、本発明の液体噴射装置をラインヘッド型印刷装置に用いた場合についてのみ詳述したが、本発明の液体噴射装置は、マルチパス型印刷装置にも同様に適用可能である。
【００３２】
また、前記実施形態では、本発明の液体噴射装置をインクジェット式印刷装置に具体化したが、この限りではなく、インク以外の他の液体（液体以外にも、機能材料の粒子が分散されている液状体、ジェルなどの流状体を含む）や液体以外の流体（流体として流して噴射できる固体など）を噴射したり吐出したりする液体噴射装置に具体化することもできる。例えば、液晶ディスプレイ、ＥＬ（エレクトロルミネッサンス）ディスプレイ、面発光ディスプレイ、カラーフィルタの製造などに用いられる電極材や色材などの材料を分散又は溶解の形態で含む液状体を噴射する液状体噴射装置、バイオチップ製造に用いられる生体有機物を噴射する液体噴射装置、精密ピペットとして用いられて試料となる液体を噴射する液体噴射装置であってもよい。更に、時計やカメラなどの精密機械にピンポイントで潤滑油を噴射する液体噴射装置、光通信素子などに用いられる微小半球レンズ（光学レンズ）などを形成するための紫外線硬化樹脂などの透明樹脂液を基板上に噴射する液体噴射装置、基板などをエッチングするために酸又はアルカリなどのエッチング液を噴射する液体噴射装置、ジェルを噴射する流状体噴射装置、トナーなどの粉体を例とする固体を噴射する流体噴射式記録装置であってもよい。そして、これらのうち何れか一種の噴射装置に本発明を適用することができる。
【図面の簡単な説明】
【００３３】
【図１】本発明の液体噴射装置を用いた印刷装置の第１実施形態を示す概略構成正面図である。
【図２】図１の液体噴射装置に用いられる液体噴射ヘッド近傍の平面図である。
【図３】図１の液体噴射型印刷装置の制御装置のブロック図である。
【図４】各液体噴射ヘッドに設けられた駆動回路のブロック図である。
【図５】各液体噴射ヘッド内のノズルアクチュエータを駆動する駆動信号の説明図である。
【図６】スイッチングコントローラのブロック図である。
【図７】図１の液体噴射ヘッドの配置状態の詳細を示す平面図である。
【図８】図７の液体噴射ヘッドから噴射された液体ドットの説明図である。
【図９】図７の液体噴射ヘッドのノズルアクチュエータに印加される駆動信号の説明図である。
【図１０】本発明の液体噴射装置を用いた印刷装置の各液体噴射ヘッドに設けられた駆動回路の第２実施形態を示すブロック図である。
【図１１】本発明の液体噴射装置を用いた印刷装置の制御装置の第３実施形態を示すブロック図である。
【符号の説明】
【００３４】
１は印刷媒体、２は液体噴射ヘッド、３は給紙部、４は搬送部、５は給紙ローラ、６は搬送ベルト、７は電動モータ、８は駆動ローラ、９は従動ローラ、１０は排紙部、１１は固定プレート、１２はスライドスイッチ、１３ｉ，１３ｏは制御信号用接続部、１４ｉ，１４ｏは電力用接続部、２１はハーフブリッジＤ級出力段、２２はノズルアクチュエータ、２３は制御回路、２４はメモリ、２５は駆動波形信号発生回路、２６は変調回路、２８はデジタル電力増幅器、２９は平滑フィルタ、３０はゲート駆動回路、３１は駆動波形信号発生回路、３２はＡ／Ｄ変換回路（アナログ変換回路）、３３はアナログ電力増幅回路、３４はプリドライバ回路、３５はトランジスタ対、６２は制御部、６５はヘッドドライバ
【図１】
2009226901.tif 000003
【図２】
2009226901.tif 000004
【図３】
2009226901.tif 000005
【図４】
2009226901.tif 000006
【図５】
2009226901.tif 000007
【図６】
2009226901.tif 000008
【図７】
2009226901.tif 000009
【図８】
2009226901.tif 000010
【図９】
2009226901.tif 000011
【図１０】
2009226901.tif 000012
【図１１】
2009226901.tif 000013